(57)【要約】【課題】電話回線側からの各種イベントを検知できる状態を維持しつつ高い省電力効果を得ることが可能な通信装置を提供する。【解決手段】複合機１は、動作モードとして、スイッチング電源３１が動作する通常モードと、スイッチング電源３１が停止するＯＦＦモードを備えている。ＯＦＦモード中は、ＤＡＡ２１は動作できないが、省電力チップ３は、バックアップ電源４によって動作する。省電力チップ３は、ＯＦＦモード中にバックアップ電源４の電圧が所定の電圧低下状態になるとスイッチング電源３１を起動させて通常モードに復帰させる機能を有する。ＯＦＦモード時に回線イベントが発生すると、フォトトリレー２６がオンし、バックアップ電源４の充電電力がフォトリレー２６を介して放電される。これにより、バックアップ電源４の電圧が電圧低下状態となって、動作モードが通常モードに復帰する。【選択図】図１
2015012466.tif 000002
【特許請求の範囲】
【請求項１】
電話回線に接続可能な通信装置であって、
供給される動作用電力により動作し、前記電話回線に接続されて前記電話回線との間で信号送受が可能な回線接続部と、
前記回線接続部を含む供給対象へ、その供給対象を動作させるための、前記動作用電力を少なくとも含む電力を供給可能な主電源部と、
前記電話回線の電気的変化を回線イベントとして検出する回線イベント検出部と、
前記主電源部とは別に設けられ、前記主電源部の動作中に前記主電源部から供給される電力により充電されるバックアップ電源部と、
当該通信装置の動作モードが、前記主電源部から少なくとも前記回線接続部への前記動作用電力の供給及び前記バックアップ電源部への充電用の電力の供給が停止される停止モードに設定されている間に、前記バックアップ電源部から電力供給を受けて動作し、前記バックアップ電源部の電圧であるバックアップ電圧に所定の電圧低下状態が発生した場合に、前記動作モードを、前記主電源部が動作して前記供給対象への電力供給が可能となる通常モードに設定する通常モード設定部と、
前記動作モードが前記停止モードに設定されている間に、前記回線イベント検出部により前記回線イベントが検出された場合、前記バックアップ電源部の充電電力を放電させることにより前記バックアップ電圧に前記電圧低下状態を発生させる強制放電部と、
を備えることを特徴とする通信装置。
【請求項２】
請求項１に記載の通信装置であって、
前記電圧低下状態は、前記バックアップ電圧が予め設定された電圧閾値以下になることである
ことを特徴とする通信装置。
【請求項３】
請求項１又は請求項２に記載の通信装置であって、
前記強制放電部は、
前記バックアップ電源部と並列に接続された放電用通電経路と、
前記動作モードが前記停止モードの間、前記回線イベントが発生していない場合は前記放電用通電経路を遮断し、前記回線イベントが発生した場合は前記放電用通電経路を導通させる主スイッチ部と、
を備えることを特徴とする通信装置。
【請求項４】
請求項３に記載の通信装置であって、
前記主スイッチ部は、
発光部及び受光部を有するフォトリレーを備え、
前記発光部は、前記電話回線の電気的変化が生じた場合にその電気的変化によって入力される電流により発光するよう構成され、
前記受光部は、前記放電用通電経路に設けられたＭＯＳＦＥＴを有し、前記発光部から光を受光した場合に前記ＭＯＳＦＥＴがオンすることにより前記放電用通電経路を導通させるよう構成されている
ことを特徴とする通信装置。
【請求項５】
請求項３に記載の通信装置であって、
前記主スイッチ部は、
発光部及び受光素子を有するフォトカプラを備え、
前記発光部は、前記電話回線の電気的変化が生じた場合にその電気的変化によって入力される電流により発光するよう構成され、
前記受光素子は、前記放電用通電経路に設けられ、前記発光部から光を受光した場合にオンして前記放電用通電経路を導通させるよう構成されている
ことを特徴とする通信装置。
【請求項６】
請求項５に記載の通信装置であって、
前記主スイッチ部と並列に設けられ、前記主スイッチ部が有する前記受光素子がオフしている間は前記主スイッチ部と共に前記放電用通電経路を遮断させ、前記受光素子がオンしている間に前記主スイッチ部と共に前記放電用通電経路を導通させることが可能に構成された副スイッチ部を備えている
ことを特徴とする通信装置。
【請求項７】
請求項５又は請求項６に記載の通信装置であって、
前記発光部は、互いに極性が逆になるように並列接続された２つのダイオードを有し、
前記各ダイオードにおける互いに接続されている両端は、前記電話回線を構成する一対の線にそれぞれ一対一で直接又は間接的に接続されている
ことを特徴とする通信装置。
【請求項８】
請求項３〜請求項７の何れか１項に記載の通信装置であって、
前記放電用通電経路に設けられ、前記動作モードが前記通常モードに設定されている間は前記発光部からの光の有無にかかわらず前記バックアップ電源部から前記放電用通電経路への放電を遮断するための遮断部を備えている
ことを特徴とする通信装置。
【請求項９】
請求項８に記載の通信装置であって、
前記遮断部は、
前記放電用通電経路に設けられたラッチングリレーと、
前記動作モードが前記停止モードから前記通常モードに切り替わったときに前記ラッチングリレーをオフさせて前記放電用通電経路を遮断させ、前記動作モードが前記通常モードから前記停止モードに切り替わる際に前記ラッチングリレーをオンさせて前記放電用通電経路を導通させるリレー制御部と、
を備えることを特徴とする通信装置。
【請求項１０】
請求項１〜請求項９の何れか１項に記載の通信装置であって、
前記バックアップ電源部はキャパシタであることを特徴とする通信装置。
【発明の詳細な説明】
【技術分野】
【０００１】
本発明は、電話回線に接続されて使用される通信装置に関する。
【背景技術】
【０００２】
電話機能やファクシミリ機能などの、電話回線側（交換機等）との間で通信を行う機能（以下「回線通信機能」ともいう）を備えた通信装置は、一般に、装置内の各部へ電力を供給するための主電源回路を備えている。例えば複合機においては、電源スイッチがオンされると、印刷機構やコピー機構、ＤＡＡ（Data Access Arrangement ）やモデムなどの、装置内の各部に、主電源回路から電力が供給される。
【０００３】
近年、通信装置を含む各種電気機器には、消費電力低減のために、動作モードとして、主電源回路から各部へ電力が供給可能となる通常モードのほかに、制御回路等の必要最小限の回路へ微小電力を供給する以外は主電源回路からの電力供給を停止するスリープモードが備えられている（例えば、特許文献１参照。）。
【先行技術文献】
【特許文献】
【０００４】
【特許文献１】特開２００１−４５６７８号公報
【発明の概要】
【発明が解決しようとする課題】
【０００５】
消費電力低減への要求は年々高まっており、さらなる省電力が求められている。スリープモードよりさらに消費電力を低減するための手法として、主電源回路からの電力供給を完全に停止させるモード（以下「ＯＦＦモード」という）を備えることが考えられる。
【０００６】
ＯＦＦモードでは、制御回路や各種通信回路は電力供給が遮断されて動作が完全に停止する。ただし、ＯＦＦモードでは、電源スイッチのオン・オフ検知やＯＦＦモード解除条件検知などの必要最小限の機能のみ、別途、二次電池やスーパーキャパシタなどのバックアップ電源で動作が継続される。そのため、ＯＦＦモードでは、必要最小限の機能を維持しつつ、スリープモードよりも高い省電力効果が得られる。
【０００７】
しかし、回線通信機能を備えた通信装置に対して動作モードとしてＯＦＦモードを備えるようにすると、高い省電力効果が得られる反面、ＯＦＦモード中はＤＡＡやモデムなどの各種通信回路の動作が停止するため、呼出信号や極性反転などの電話回線側からの各種イベントを検知することができなくなる。そのため、回線通信機能を備えた通信装置においては、いつ発生するかわからない電話やファクシミリの着信に対応できるようにするためにも、動作モードをＯＦＦモードに設定することは現実的ではない。
【０００８】
本発明は、電話回線側からの各種イベントを検知できる状態を維持しつつ高い省電力効果を得ることが可能な通信装置を提供することを目的とする。
【課題を解決するための手段】
【０００９】
上記課題を解決するためになされた本発明の通信装置は、電話回線に接続可能な通信装置であって、回線接続部と、主電源部と、回線イベント検出部と、バックアップ電源部と、通常モード設定部と、強制放電部とを備える。
【００１０】
回線接続部は、供給される動作用電力により動作し、前記電話回線に接続されて前記電話回線との間で信号送受が可能である。主電源部は、回線接続部を含む供給対象へ、その供給対象を動作させるための、上記動作用電力を少なくとも含む電力を供給可能である。回線イベント検出部は、電話回線の電気的変化を回線イベントとして検出する。バックアップ電源部は、主電源部とは別に設けられ、主電源部の動作中に主電源部から供給される電力により充電される。
【００１１】
当該通信装置は、動作モードとして、停止モード及び通常モードを有する。停止モードは、主電源部から少なくとも回線接続部への動作用電力の供給及び記バックアップ電源部への充電用の電力の供給が停止される動作モードである。通常モードは、主電源部が動作して供給対象への電力供給が可能となる動作モードである。
【００１２】
通常モード設定部は、当該通信装置の動作モードが停止モードに設定されている間に、バックアップ電源部から電力供給を受けて動作し、バックアップ電源部の電圧であるバックアップ電圧に所定の電圧低下状態が発生した場合に、動作モードを通常モードに設定する。強制放電部は、動作モードが停止モードに設定されている間に、回線イベント検出部により回線イベントが検出された場合、バックアップ電源部の充電電力を放電させることによりバックアップ電圧に電圧低下状態を発生させる。
【００１３】
このように構成された通信装置では、停止モード中に回線イベントが発生した場合、強制放電部がバックアップ電源部の充電電力を強制的に（通常モード設定部への供給状態とは無関係に）放電させる。この放電により、バックアップ電圧の電圧低下状態が発生し、通常モード設定部が動作モードを通常モードに設定する。通常モードになれば、回線接続部が主電源部からの動作用電源により動作可能となる。
【００１４】
従って、上記構成の通信装置によれば、停止モード中には主電源部からの電力供給が停止されるものの、回線イベント検出部により回線イベントが検出されたらバックアップ電源部の強制放電により動作モードが通常モードに切り替わるため、電話回線側からの各種イベントを検知できる状態を維持しつつ、高い省電力効果を得ることが可能となる。
【図面の簡単な説明】
【００１５】
【図１】第１実施形態の複合機の概略構成を表す構成図である。
【図２】ＣＰＵが実行するメイン処理を表すフローチャートである。
【図３】第１実施形態の複合機における回線イベント発生時の動作例を表すタイムチャートである。
【図４】第２実施形態の複合機の概略構成を表す構成図である。
【図５】第３実施形態の複合機の概略構成を表す構成図である。
【発明を実施するための形態】
【００１６】
以下に、本発明の好適な実施形態を図面に基づいて説明する。なお、本発明は、下記の実施形態に示された具体的手段や構造等に限定されるものではなく、本発明の要旨を逸脱しない範囲において種々の形態を採り得る。例えば、下記の実施形態の構成の一部を、同様の機能を有する公知の構成に置き換えたり、他の実施形態の構成に対して付加、置換等したり、課題を解決できる限りにおいて省略したりしてもよい。また、下記の複数の実施形態を適宜組み合わせて構成してもよい。
【００１７】
［第１実施形態］
図１に示すように、本発明が適用された実施形態の複合機１は、音声通話機能、ファクシミリ通信機能、コピー機能、スキャナ機能などの複数の機能を備えたものであり、メイン基板１０と、通信回路基板２０と、電源基板３０と、回線接続コネクタ４０とを備えている。複合機１は、図１に示した構成の他にも、印刷を行う印刷機構や、原稿の画像読取を行う画像読取機構等も備えているが、それらについては図示を省略している。
【００１８】
電源基板３０は、スイッチング電源３１と、発振制御部３２とを備えている。スイッチング電源３１は、外部から入力される商用のＡＣ電源（例えばＡＣ１００Ｖ電源）から、２４Ｖの第１ＤＣ電源電圧Ｖ１、５Ｖの第２ＤＣ電源電圧Ｖ２、及び３．３Ｖの第３ＤＣ電源電圧Ｖ３を生成して、メイン基板１０等へ出力する。通信回路基板２０には、スイッチング電源３１で生成された第３ＤＣ電源電圧Ｖ３が、メイン基板１０を介して供給される。ただし、スイッチング電源３１から直接供給される構成であってもよい。
【００１９】
発振制御部３２は、メイン基板１０から入力される電源発振停止・開始パルス信号に基づいてスイッチング電源３１を発振又は停止させる。なお、スイッチング電源３１について「発振」とは、商用ＡＣ電源を各ＤＣ電源電圧Ｖ１，Ｖ２，Ｖ３へ降圧して出力する動作を意味する。
【００２０】
発振制御部３２は、スイッチング電源３１が発振しているときにメイン基板１０から電源発振停止・開始パルス信号が入力された場合はスイッチング電源３１を停止させ、スイッチング電源３１が動作を停止しているときにメイン基板１０から電源発振停止・開始パルス信号が入力された場合はスイッチング電源３１の発振を開始させる。
【００２１】
通信回路基板２０は、ＤＡＡ２１と、モデム２２と、トランス２３と、ダイオードブリッジ２４と、フォトリレー２６とを備えている。ＤＡＡ２１は、ラインコード５０を介して公衆の電話回線に接続される。ラインコード５０は、複合機１を電話回線に接続するためのケーブルであり、一対の電話線Ｌ１，Ｌ２を備えている。ラインコード５０が回線接続コネクタ４０に接続されると、ラインコード５０の一対の電話線Ｌ１，Ｌ２がそれぞれ通信回路基板２０内の一対の回線接続ラインＬ１１，Ｌ１２に接続され、これにより、電話回線とＤＡＡ２１とが接続された状態となる。
【００２２】
ＤＡＡ２１は、メイン基板１０内のＣＰＵ２からモデム２２経由で入力される各種指令に従って、電話回線の閉結や開放、電話回線からの各種入力信号（例えば呼出信号、ダイヤルトーン、極性反転など）の検出、電話回線への各種出力信号の送出などを行う。
【００２３】
ＤＡＡ２１は、トランス２３を介してモデム２２に接続されている。ＤＡＡ２１の動作用電源は、モデム２２からトランス２３を介して供給される。また、ＤＡＡ２１とモデム２２との間の各種信号等の入出力も、トランス２３を介して行われる。
【００２４】
モデム２２は、ファクシミリ通信において送受信されるファクシミリ信号の変調・復調といった基本的機能を有する他、メイン基板１０のＣＰＵ２からの指令に従いながらＤＡＡ２１を制御し、ＤＡＡ２１への各種信号等の出力や、ＤＡＡ２１からの各種入力信号・回線電圧等の受信などを行う。
【００２５】
ダイオードブリッジ２４は、電話回線の電気的変化（電圧変化）を整流してフォトリレー２６へ出力する。ダイオードブリッジ２４の一対の入力端子には、一対の回線接続ラインＬ１１，Ｌ１２がそれぞれ接続されている。そのうち一方の回線接続ラインＬ１１は、コンデンサＣ１を介してダイオードブリッジ２４の入力端子に接続されている。このコンデンサＣ１は、電話回線からダイオードブリッジ２４に入力される電圧から直流成分を除去するために設けられている。ダイオードブリッジ２４の一対の出力端子は、フォトリレー２６に接続されている。
【００２６】
フォトリレー２６は、フォトＭＯＳリレーとも呼ばれている無接点半導体リレーであり、発光ダイオード２７と、受光部２８とを備えている。発光ダイオード２７のアノードは、ダイオードブリッジ２４の正極出力端子に接続され、発光ダイオード２７のカソードは、抵抗Ｒ１を介してダイオードブリッジ２４の負極出力端子に接続されている。
【００２７】
フォトリレー２６の受光部２８は、ゲート同士及びソース同士が互いに接続された２つのＮチャネルＭＯＳＦＥＴを有する周知の構成である。各ＭＯＳＦＥＴのドレインは、それぞれフォトリレー２６の出力端子に接続されている。各ＭＯＳＦＥＴのゲート−ソース間には、図示しない受光制御部が設けられている。この受光制御部は、発光ダイオード２７が発光していないときは各ＭＯＳＦＥＴをオフさせ、発光ダイオード２７が発光しているときはその光を受光して各ＭＯＳＦＥＴを共にオン（導通）させる。
【００２８】
メイン基板１０は、ＣＰＵ２、省電力チップ３、バックアップ電源４、ラッチングリレー５、リレードライブ回路６などを備えている。ＣＰＵ２は、複合機１が備える各種機能を実現するための各種制御処理等を実行する。ＣＰＵ２の機能には、リレードライブ回路６や図示しない印刷機構、画像読取機構などを制御する機能なども含まれる。
【００２９】
ラッチングリレー５は、リレースイッチ１５と、リレースイッチ１５を動作させるセット（Ｓ）／リセット（Ｒ）コイル部１６とを備えている。リレースイッチ１５は、コモン端子と２つの接点とを備えている。コモン端子は、バックアップ電源４の基準電位（接地電位）に接続（詳しくはバックアップ電源４が備えるスーパーキャパシタＣ０の基準電位側の一端に接続）されている。２つの接点のうち一方は、フォトリレー２６の一方の出力端子に接続されている。このフォトリレー２６に接続されている一方の接点を、以下、フォトリレー側接点ともいう。
【００３０】
ラッチングリレー５のリレースイッチ１５は、Ｓ／Ｒコイル部１６にパルスが入力される度に接点が切り替わる。図１では、リレースイッチ１５が、フォトリレー側接点に切り替えられてコモン端子とフォトリレー側接点とが導通した状態となっており、本実施形態ではこの状態をセット状態という。逆に、リレースイッチ１５がフォトリレー側接点とは別の他方の接点に切り替えられた状態をリセット状態という。
【００３１】
ラッチングリレー５は、リレースイッチ１５の切り替え時のみＳ／Ｒコイル部１６への通電（パルス入力）を必要とし、切り替え後の状態維持のための定常的な通電は不要なリレーである。すなわち、Ｓ／Ｒコイル部１６にパルスが入力される度に、リレースイッチ１５のセット、リセット状態が切り替わる。
【００３２】
ＣＰＵ２は、ラッチングリレー５をセット状態にさせる際は、リレードライブ回路６へセット指令を出力する。セット指令は、本実施形態では、Ｌ（Ｌｏｗ）レベル（例えば０Ｖ）の電圧信号である。ＣＰＵ２は、ラッチングリレー５をリセット状態にさせる際は、リレードライブ回路６へリセット指令を出力する。リセット指令は、本実施形態では、Ｈ（Ｈｉｇｈ）レベル（例えば５Ｖ）の電圧信号である。
【００３３】
リレードライブ回路６は、ＣＰＵ２からの指令に基づき、ラッチングリレー５を切り替えるためのパルスを出力する。具体的には、ＣＰＵ２からセット指令（Ｌレベル信号）が入力された場合は、ラッチングリレー５のＳ／Ｒコイル部１６へセット用のパルス（セットパルス）を出力して、ラッチングリレー５をセット状態にさせる。ＣＰＵ２からリセット指令（Ｈレベル信号）が入力された場合は、ラッチングリレー５のＳ／Ｒコイル部１６へリセット用のパルス（リセットパルス）を出力して、ラッチングリレー５をリセット状態にさせる。
【００３４】
省電力チップ３は、バックアップ電圧検知部１１、ＲＴＣ（リアルタイムクロック）１２、電源制御部１３などを備えたＩＣ（半導体集積回路）である。省電力チップ３は、スイッチング電源３１からダイオードＤ１を介して供給される第２ＤＣ電源電圧Ｖ２又はバックアップ電源４からの電力により動作する。つまり、省電力チップ３は、第２ＤＣ電源電圧Ｖ２が供給されなくても、バックアップ電源４から必要最低限の電圧（例えば１．５Ｖ）以上のバックアップ電圧が供給されている限り動作可能である。
【００３５】
バックアップ電圧検知部１１は、バックアップ電源４の電圧（バックアップ電圧）、即ちスーパーキャパシタＣ０の充電電圧を検知して、このバックアップ電圧が、予め設定された電圧閾値以下になっているか否か判断する。本実施形態では、後述するように、スーパーキャパシタＣ０は、スイッチング電源３１からの第２ＤＣ電源電圧Ｖ２（５Ｖ）により充電される。そして、本実施形態では、電圧閾値が例えば１．５Ｖに設定されている。そのため、本実施形態のバックアップ電圧検知部１１は、バックアップ電圧が１．５Ｖ以下になっているか否かを判断する。
【００３６】
ＲＴＣ１２は、現在時刻を保持・出力する。電源制御部１３は、後述するように、ＣＰＵ２からの指令や省電力チップ３内で発生する指令等に基づいて、電源基板３０の発振制御部３２へ、電源発振停止・開始パルス信号を出力する。
【００３７】
なお、複合機１は、図示は省略したものの、当該複合機１の動作をオン／オフさせるためにユーザにより操作される電源スイッチを備えている。省電力チップ３には、この電源スイッチの操作状態を示す信号（電源スイッチ信号）も入力される。
【００３８】
ここで、複合機１の動作モードについて説明する。本実施形態の複合機１は、動作モードとして、通常モードとＯＦＦモードを有している。
通常モードは、スイッチング電源３１から複合機１内の各部へ各種ＤＣ電源電圧Ｖ１，Ｖ２，Ｖ３が供給されて複合機１内の各部が動作可能となる動作モードである。通常モードでは、メイン基板１０においては、ＣＰＵ２が動作して、複合機１が備える各種機能の実行が可能となる。通信回路基板２０においても、ＤＡＡ２１やモデム２２などの各回路が動作可能となり、これにより、電話回線を介した音声電話やファクシミリ通信等の各種通信が可能となる。また、省電力チップ３は、通常モード時は、スイッチング電源３１からダイオードＤ１を介して供給される第２ＤＣ電源電圧Ｖ２により動作する。
【００３９】
一方、ＯＦＦモードは、複合機１が一定時間使用されていない待機時や、通常モード中にユーザが電源スイッチを押し操作した場合などに設定される動作モードであって、スイッチング電源３１の発振が停止されて各種ＤＣ電源電圧Ｖ１，Ｖ２，Ｖ３の供給が停止される動作モードである。スイッチング電源３１の発振が完全に停止するため、ＯＦＦモード中の待機電力はほとんどゼロである。ＯＦＦモードを導入していることで、本実施形態の複合機１では、非常に高いレベルの省電力が実現される。
【００４０】
ＣＰＵ２は、通常モード時に常時、動作モードをＯＦＦモードへ切り替えるべきＯＦＦモード切替条件が成立したか否かを判断している。本実施形態では、ＯＦＦモード切替条件として、例えば、複合機１が一定時間使用されていないことや、電源スイッチが押し操作されたことなどが設定されている。ＣＰＵ２は、省電力チップ３から、ＲＴＣ１２の時刻情報や電源スイッチの操作情報などの各種情報を取得して、ＯＦＦモード切替条件が成立したかどうか判断する。ＣＰＵ２は、ＯＦＦモード切替条件が成立した場合は、電源制御部１３に対して電源発振停止・開始パルス信号を出力させる。通常モード時に電源制御部１３が電源発振停止・開始パルス信号を出力すると、電源基板３０において発振制御部３２がスイッチング電源３１の発振を停止させるため、これにより動作モードが通常モードからＯＦＦモードに切り替わる。
【００４１】
ＯＦＦモードでは、スイッチング電源３１の発振が停止されるため、ＣＰＵ２やＤＡＡ２１、モデム２２などの、複合機１内のほとんどの回路は、電力供給が途絶えて停止する。そのため、従来のスリープモードよりもさらに消費電力が抑えられる。
【００４２】
ただし、ＯＦＦモード中であっても維持させるべき機能（以下「最低基本機能」ともいう）がいくつかある。例えば、ＲＴＣ１２、電源スイッチの操作有無検知、ＯＦＦモードを解除して通常モードに復帰させる復帰条件を検出するための復帰条件検知機能、ＯＦＦモード解除の際にスイッチング電源３１を発振させるために電源発振停止・開始パルス信号を出力する電源制御部１３などが、最低基本機能の一例である。つまり、ＯＦＦモード中であっても、最低限、省電力チップ３内の各部の動作は維持させる必要がある。
【００４３】
そこで本実施形態では、ＯＦＦモード中であってもこれら最低基本機能を維持させるために、バックアップ電源４を搭載している。バックアップ電源４の具体的構成は種々考えられるが、本実施形態では、スーパーキャパシタＣ０を備えた構成となっている。
【００４４】
スーパーキャパシタＣ０には、通常モード中にスイッチング電源３１から５Ｖの第２ＤＣ電源電圧Ｖ２が供給され、これにより所定電圧（本実施形態では５Ｖ）に充電される。ＯＦＦモードになると、スーパーキャパシタＣ０の充電電力が、バックアップ電力として省電力チップ３に供給される。このバックアップ電力により省電力チップ３は動作可能となり、これによりＯＦＦモード中でも最低基本機能が維持される。
【００４５】
動作モードをＯＦＦモードから通常モードへ復帰させるための復帰条件として、本実施形態では、例えば、電源スイッチが押し操作されたことや、スーパーキャパシタＣ０の充電電圧（バックアップ電圧）が電圧閾値以下になったこと、ＯＦＦモードが一定時間継続していること、複合機１が備える図示しない開閉カバーが開閉操作されたこと、などが設定されている。
【００４６】
すなわち、ＯＦＦモード中に電源スイッチが押し操作されると、その操作情報が省電力チップ３に入力される。これにより、電源制御部１３が発振制御部３２へ電源発振停止・開始パルス信号を出力し、動作モードを通常モードに復帰させる。また、ＯＦＦモードが一定時間継続した場合も、一時的に通常モードに復帰させて、例えば印刷機構のクリーニング処理などの所定の処理を実行させる。ＣＰＵ２は、一定時間継続による通常モードへの復帰により起動した場合は、必要な所定の処理を実行した後、再びＯＦＦモードに切り替える。
【００４７】
ＯＦＦモード中は、最低基本機能の維持のために、スーパーキャパシタＣ０の充電電力が省電力チップ３内で消費される。そのため、ＯＦＦモード中、スーパーキャパシタＣ０のバックアップ電圧は、規定の充電電圧（５Ｖ）から徐々に低下していく。
【００４８】
そこで、省電力チップ３は、ＯＦＦモード中にスーパーキャパシタＣ０の充電電圧が電圧閾値（本実施形態では１．５Ｖ）以下になった場合は、一時的に通常モードに復帰させ、スイッチング電源３１の発振を再開させて、スーパーキャパシタＣ０を充電させる。バックアップ電圧検知部１１は、スーパーキャパシタＣ０のバックアップ電圧を監視し、電圧閾値以下になった場合、電源制御部１３に対して電源発振停止・開始パルス信号を出力させることで、動作モードをＯＦＦモードから通常モードに復帰させる。この場合のＯＦＦモード解除は、スーパーキャパシタＣ０の充電電力を補充するための解除である。そのため、一時的にＯＦＦモードが解除されるものの、スーパーキャパシタＣ０が電圧閾値よりも十分高い電圧（例えば５Ｖ）まで充電されたら、ＣＰＵ２は再び動作モードをＯＦＦモードに切り替える。
【００４９】
電圧閾値の具体的数値は適宜決めることができる。例えば、省電力チップ３において最低基本機能の維持(動作）のために最低限必要な電圧よりも所定値高い電圧にしてもよい。即ち、電圧閾値は、バックアップ電圧がその電圧閾値以下になった時点から、動作モードが通常モードに復帰してスーパーキャパシタＣ０への充電が開始されるまでの間に、さらにバックアップ電圧が低下したとしても、省電力チップ３の動作が継続可能な電圧値を維持できるような値にするとよい。
【００５０】
動作モードとしてＯＦＦモードを備える本実施形態の複合機１では、動作モードがＯＦＦモードになると、スイッチング電源３１から通信回路基板２０への電力供給が途絶える。そのため、ＯＦＦモードになると、電話回線が極性反転したり呼出信号が入力されたりするなどの、電話回線側（交換機等）の制御動作等に起因した電話回線の電気的変化（回線イベント）が生じても、ＤＡＡ２１はその回線イベントを検出できない。
【００５１】
そこで本実施形態の複合機１は、ＯＦＦモード時であっても回線イベントが発生した場合にはそれを検出して通常モードに復帰させるためのしくみが備えられている。このしくみについて具体的に説明する。
【００５２】
通信回路基板２０は、ダイオードブリッジ２４及びフォトリレー２６を備えている。そのため、ＯＦＦモード時に回線イベントが発生すると、ダイオードブリッジ２４からフォトリレー２６の発光ダイオード２７へ電流が出力され、これにより発光ダイオード２７が発光する。発光ダイオード２７の光が受光部２８で受光されると、受光部２８がオンする。詳しくは受光部２８が備える２つのＭＯＳＦＥＴがオンし、フォトリレー２６の出力端子間がフォトリレー２６内部において導通する。
【００５３】
一方、メイン基板１０のスーパーキャパシタＣ０には、これと並列に、スーパーキャパシタＣ０の充電電力を放電させるための放電用通電経路が設けられている。この放電用通電経路は、具体的には、スーパーキャパシタＣ０の一端（高電位側）から電流制限抵抗Ｒ２、フォトリレー２６の受光部２８、及びラッチングリレー５を経てスーパーキャパシタＣ０の他端（基準電位側）に至る経路である。
【００５４】
既述の通り、ＯＦＦモード時には、ラッチングリレー５はセット状態（図１に図示した状態）にされる。そのため、回線イベント発生によりフォトリレー２６がオンすると、スーパーキャパシタＣ０の両端子間に低インピーダンスの閉回路が形成される。即ち、上記放電用通電経路が全体として導通する。そのため、スーパーキャパシタＣ０の充電電力が、その低インピーダンスの放電用通電経路を介して放電される。つまり、複合機１は、ＯＦＦモード時に回線イベントが発生したら、スーパーキャパシタＣ０の充電電力を強制的に放電させるよう構成されている。
【００５５】
スーパーキャパシタＣ０が放電されると、その充電電圧（バックアップ電圧）は徐々に低下していく。そして、バックアップ電圧が電圧閾値以下になると、省電力チップ３内において、バックアップ電圧検知部１１によりその電圧閾値以下になったことが検知され、電源制御部１３から電源発振停止・開始パルスが出力される。これにより、スイッチング電源３１が発振して、動作モードが通常モードに復帰する。
【００５６】
動作モードが通常モードに復帰すれば、通信回路基板２０に電源基板３０から電源が供給されるため、モデム２２やＤＡＡ２１が動作可能となる。これにより、ＤＡＡ２１やモデム２２は、発生した回線イベントに対応した種々の処理を行うことが可能となる。
【００５７】
フォトリレー２６を構成する受光部２８は、ＭＯＳＦＥＴを備えており、そのオン抵抗は例えばフォトカプラの受光部よりも低く、電流を流す能力（電流ドライブ能力）も高くて例えば約２Ａの電流を流すことができる。そのため、フォトリレー２６のオンにより、スーパーキャパシタＣ０を短時間で電圧閾値以下の電圧まで放電させることができる。
【００５８】
電話回線の回線イベントの１つとして、呼出信号がある。この呼出信号は、例えば、１秒間オン（所定周波数の交流信号が発生）して２秒間オフ（電圧変化ゼロ）する変化が繰り返し継続して発生するような信号である。
【００５９】
本実施形態の複合機１は、ＯＦＦモード時の回線イベントのうち少なくとも上記呼出信号が発生して１秒間オンしている間に通常モードへ復帰することが可能である。具体的には、放電開始から１秒経過するまでにバックアップ電圧が１．５Ｖ以下となるよう、電流制限抵抗Ｒ２の抵抗値をはじめ放電用通電経路上の各素子等の定格が定められている。
【００６０】
スーパーキャパシタＣ０から一定量の充電電荷を放電させるために必要な放電時間は、電流制限抵抗Ｒ２の抵抗値に依存し、この抵抗値が小さいほど放電時間が短くなる。そのため、電流制限抵抗Ｒ２の抵抗値を調整することで、スーパーキャパシタＣ０の放電時間（バックアップ電圧が低下する傾き）を調整できる。スーパーキャパシタＣ０の放電前の初期電圧をＶ０、放電後の電圧をＶ１、スーパーキャパシタＣ０の静電容量をＣ、電流制限抵抗Ｒ２の抵抗値をＲとすると、スーパーキャパシタＣ０の放電時間Ｔ（Ｖ０からＶ１まで放電させるのにかかる時間）は、次式（１）で表せる。
【００６１】
Ｔ＝−Ｃ・Ｒ・ｌｏｇ（Ｖ１／Ｖ０）  ・・・  （１）
例えば、スーパーキャパシタＣ０の放電前の電圧を５Ｖ、フォトリレー２６のオン抵抗を０．０５Ω、スーパーキャパシタＣ０の静電容量を０．２２４Ｆとし、スーパーキャパシタＣ０をその電圧が１．５Ｖになるまで放電させるとする。このとき、例えば電流制限抵抗Ｒ２が０Ωだとすると、１．５Ｖまで放電させるのにかかる放電時間Ｔは、上記式（１）を用いて算出すると、約０．０１秒となる。つまり、電流制限抵抗Ｒ２を用いなければ約０．０１秒という非常に短い時間で放電させることができる。ただしその場合、放電用通電経路に大きな電流が流れて、フォトリレー２６の受光部２８やラッチングリレー５のリレースイッチ１５などに影響を及ぼすおそれがある。
【００６２】
そこで、本実施形態では、所定の抵抗値の電流制限抵抗Ｒ２を設けることで、放電開始から１秒経過までの間に１．５以下へ放電させることを可能としつつ、放電時の電流値が過大にならないようにしている。例えば、電流制限抵抗Ｒ２の抵抗値を３．５Ωとすると、放電時間Ｔは、上記式（１）を用いて算出すると、約０．９秒となる。つまり、３．５Ωの電流制限抵抗Ｒ２を用いても、呼出信号の１秒間オンの間にスーパーキャパシタＣ０を１．５Ｖ以下に放電させて通常モードに復帰させることができる。
【００６３】
なお、極性反転が生じたときにもＯＦＦモードから通常モードへ復帰できるよう、電流制限抵抗Ｒ２を抵抗値のより小さいものにしてもよい。更に、複合機１にラインコード５０が接続されておらず且つ動作モードがＯＦＦモードになっている状態で、複合機１にラインコード５０が接続された場合も、そのラインコード５０の接続時に一対の電話線Ｌ１，Ｌ２間の電位差によって発光ダイオード２７が発光する。この発光時間もごく短時間であるが、この短時間の間でもスーパーキャパシタＣ０の電圧を１．５Ｖ以下に急速放電させることができるように電流制限抵抗Ｒ２の抵抗値を設定してもよい。
【００６４】
放電時間の調整は、電流制限抵抗Ｒ２の抵抗値だけで行うのではなく、フォトリレー２６の受光部２８のオン抵抗やスーパーキャパシタＣ０の静電容量などの他の諸特性も含めて、結果として所望の時間内にスーパーキャパシタＣ０を１．５Ｖ以下にできるように充電用通電経路全体を設計してもよい。
【００６５】
放電用通電経路に設けられているラッチングリレー５の機能について補足説明する。ラッチングリレー５は、通常モード時にリセット状態にされることにより放電用通電経路を開放状態にするが、通常モード時にラッチングリレー５をリセット状態にすることは必須ではない。つまり、ラッチングリレー５は必ずしも必要なものではない。ちなみに、後述する第３実施形態の複合機８０（図５参照）は、ラッチングリレー５を備えていない。
【００６６】
ただし、ラッチングリレー５がない場合、通常モード時に回線イベントが発生する度に、フォトリレー２６がオンして、スーパーキャパシタＣ０から（或いはスイッチング電源３１から）、フォトリレー２６を含む放電用通電経路に電流が流れる。通常モード時のこの電流は、機能上特に意味をなさず、無駄な電流である。そのため、本実施形態では、放電用通電経路上にラッチングリレー５を設け、通常モード時には放電用通電経路を開放しておくことで、回線イベントが発生する度にフォトリレー２６を含む放電用通電経路に無駄な電流が流れることを抑制している。
【００６７】
ＣＰＵ２が実行するメイン処理について、図２を用いて説明する。ＣＰＵ２は、スイッチング電源３１からの電源供給により起動すると、図示しないメモリから図２のメイン処理のプログラムを読み出して実行する。なお、ＣＰＵ２は、図２のメイン処理によって、通常モードからＯＦＦモードへの切り替えは行うが、ＯＦＦモードから通常モードへの切り替えはＣＰＵ２が主体的に行うものではない。ＯＦＦモード中はＣＰＵ２にも電源が供給されず、ＣＰＵ２は停止している。ＯＦＦモードから通常モードへの切り替えは、既述の通り、復帰条件が成立した場合に省電力チップ３により行われる。そのため、ＣＰＵ２が動作を開始して図２のメイン処理を開始した時点で、すでに動作モードは通常モードになっている（図２の最上段の波線枠参照）。
【００６８】
ＣＰＵ２は、図２のメイン処理を開始すると、Ｓ１１０で、リレードライブ回路６へリセット指令を出力してラッチングリレー５をリセット状態にする。Ｓ１２０では、予め決められた所定の通常モード起動処理を行う。Ｓ１３０では、ＣＰＵ２の起動が、ＯＦＦモード中に一時的復帰条件が成立したことによる起動であるか否かを判断する。一時的復帰条件とは、ＯＦＦモードが一定時間継続したこと、又はバックアップ電圧が電圧閾値以下になったこと、の何れかである。
【００６９】
ＣＰＵ２の起動が、ＯＦＦモード中に一時的復帰条件が成立したことによる起動でない場合は、Ｓ１４０で、電源スイッチが押し操作されたか否か判断する。電源スイッチが押し操作されていない場合は、Ｓ１５０で、当該複合機１が使用されていない未使用状態が一定時間継続したか否か判断する。未使用状態が一定時間継続していない場合は、Ｓ１６０でその他の処理（詳細は省略）を行って、Ｓ１４０に戻る。
【００７０】
Ｓ１４０で電源スイッチが押し操作されたと判断した場合、及びＳ１５０で未使用状態が一定時間継続したと判断した場合は、ＯＦＦモード切替条件が成立したということであるため、ＯＦＦモードへ切り替えるためのＳ１７０及びＳ１８０の処理を行う。
【００７１】
Ｓ１７０では、リレードライブ回路６へセット指令を出力してラッチングリレー５をセット状態にする。Ｓ１８０では、電源制御部１３へ、電源発振停止・開始パルス信号の出力を命令する。これにより、電源制御部１３から発振制御部３２へ電源発振停止・開始パルスが出力され、スイッチング電源３１の発振が停止されて、動作モードがＯＦＦモードに移行する。
【００７２】
Ｓ１３０で、ＣＰＵ２の起動が、ＯＦＦモード中に一時的復帰条件が成立したことによる起動である場合は、Ｓ１９０に進み、一時的起動時対応処理を行う。一時的起動時対応処理は、どのような一時的復帰条件が成立したことでＯＦＦモードから通常モードに切り替わったのかによって予め決められている。例えば、スーパーキャパシタＣ０のバックアップ電圧が電圧閾値以下になったことにより通常モードに切り替わった場合は、スーパーキャパシタＣ０を一定量充電すること（本実施形態では５Ｖまで充電すること）が一時的起動時対応処理となる。Ｓ１９０の一時的起動時対応処理を終えたらＳ１７０に進む。
【００７３】
次に、本実施形態の複合機１の動作のうち、ＯＦＦモード時に回線イベント発生によって通常モードに切り替わる場合の動作例を、図３を用いて説明する。通常モード時にＯＦＦモード切替条件が成立すると、ＣＰＵ２は、ＯＦＦモードに切り替わる前の必要な処理を行い、且つラッチングリレー５をセットする（ｔ１）。これにより、動作モードがＯＦＦモードに移行する（ｔ２）。
【００７４】
ＯＦＦモード移行後、極性反転などの回線イベントが発生すると（ｔ３）、フォトリレー２６がオンすることにより、スーパーキャパシタＣ０の充電電荷が放電される。極性反転に続いて呼出信号（１秒間オン）が入力されるため、スーパーキャパシタＣ０の電圧は放電により徐々に低下していき、１．５Ｖに達する（ｔ４）。
【００７５】
これにより、省電力チップ３の電源制御部１３が電源基板３０に電源発振停止・開始パルス信号を出力して、スイッチング電源３１を発振させて、動作モードを通常モードに復帰させる（ｔ５）。通常モードに復帰すると、スーパーキャパシタＣ０はスイッチング電源３１からの第２ＤＣ電源電圧Ｖ２により充電されるため、バックアップ電圧は再び規定の５Ｖまで上昇していく。また、ラッチングリレー５はリセット状態となる。
【００７６】
以上説明したように、本実施形態の複合機１では、ＯＦＦモード中は、ダイオードブリッジ２４やフォトリレー２６などにより構成される回線イベント検出用の回路によって回線イベントを検出可能である。また、ＯＦＦモード中にバックアップ電圧が電圧閾値（１．５Ｖ）以下になると通常モードに復帰するよう構成されている。
【００７７】
このような構成において、ＯＦＦモード中、回線イベントが検出されてフォトリレー２６がオンすると、スーパーキャパシタＣ０が強制的に放電されてバックアップ電圧が１．５Ｖ以下に低下し、これにより動作モードが通常モードに復帰する。
【００７８】
そのため、ＯＦＦモードとして、スイッチング電源３１の動作を完全に停止させて消費電力をほぼゼロとする、省電力効果の非常に高いモードを実現しながらも、ＯＦＦモード中であっても回線イベントを検出できる状態を維持することができる。しかも、スーパーキャパシタＣ０を強制的に放電させるための構成を、フォトリレー２６やラッチングリレー５を含む簡素な放電用通電経路で実現しているため、複合機１全体の構成の簡素化、低コスト化が実現可能である。
【００７９】
回線イベント発生の有無に基づく放電用通電経路の導通・遮断を、フォトリレー２６を用いて実現している。そのため、停止モード中に回線イベントが発生したとき、スーパーキャパシタＣ０の充電電荷をフォトリレー２６内のＭＯＳＦＥＴを介して迅速に放電させて、バックアップ電圧を迅速に電圧閾値以下に低下させることができる。これにより、停止モードから通常モードへの切り替えを迅速に行うことができる。
【００８０】
スーパーキャパシタＣ０のバックアップ電圧に基づくＯＦＦモードから通常モードへの復帰条件は、種々設定し得るが、本実施形態では、バックアップ電圧が電圧閾値以下になったことという簡素な条件である。そのため、省電力チップ３内における、バックアップ電圧に基づく復帰条件の成立を判断するための処理負荷やその判断のための具体的構成（バックアップ電圧検知部１１の構成）を軽減・簡素化することができる。
【００８１】
また、ラッチングリレー５を備え、通常モード中に回線イベントが発生してフォトリレー２６がオンしてもスーパーキャパシタＣ０或いはスイッチング電源３１からフォトリレー２６を含む放電用通電経路に電流が流れないようにしている。そのため、通常モード時の無駄な電流が抑制され、省電力効果をより高くすることができる。しかも、ラッチングリレー５を用いていることで、セット・リセットの切り替え時は通電（パルス）が必要であるもののそれ以外は通電する必要がない。そのため、例えば通常モード中に常時通電が必要な一般的なリレーを用いる場合に比べて、高い省電力効果が得られる。
【００８２】
また、フォトリレー２６の一次側の発光ダイオード２７には、電話回線の電気的変化が、ダイオードブリッジ２４より整流されて入力される。これにより、電話回線の極性にかかわらず、電気的変化が発生したら発光ダイオード２７を発光させることができる。そのため、発光ダイオード２７を発光させる時間を長くすることができ、ひいてはスーパーキャパシタＣ０からの放電時間を長くすることができる。
【００８３】
［第２実施形態］
第２実施形態の複合機６０について、図４を用いて説明する。図４に示す本実施形態の複合機６０は、図１に示した第１実施形態の複合機１と比較して異なる構成は、主に次のａ〜ｄの４つである。
ａ．フォトリレー２６に代えてフォトカプラ７２を用いていること。
ｂ．放電用通電経路に、フォトカプラ７２と並列に、放電経路形成用のトランジスタ７６が接続されていること。
ｃ．ラッチングリレー５に代えて、常閉接点を有し且つコイルへの通電によりオフ（開）状態を保持可能な一般的なリレー（単安定リレー）６４を用いていること。
ｄ．ＣＰＵ６２からリレードライブ回路６３へのセット指令、リセット指令の出力ラインに、プルアップ抵抗Ｒ４を介して第２ＤＣ電源電圧Ｖ２が印加される構成であること。
【００８４】
フォトカプラ７２は、発光ダイオード７３とフォトトランジスタ７４を備えている。発光ダイオード７３のアノードはダイオードブリッジ２４の正極出力端子に接続され、発光ダイオード７３のカソードは抵抗Ｒ１を介してダイオードブリッジ２４の負極出力端子に接続される。そのため、回線イベントが発生して電話回線に電気的変化が生じると、発光ダイオード７３が発光し、その発光の間、フォトトランジスタ７４がオンする。
【００８５】
フォトトランジスタ７４は、エミッタがメイン基板６１内のリレー６４を介してスーパーキャパシタＣ０の基準電位側に接続されている。フォトトランジスタ７４のコレクタは、電流制限抵抗Ｒ３を介してスーパーキャパシタＣ０の正極側に接続されると共に、トランジスタ７６に接続されている。
【００８６】
トランジスタ７６は、詳しくは、バイアス抵抗内蔵型のトランジスタであり、ＰＮＰ形のバイポーラトランジスタ７７と、バイアス用の２つの抵抗とを備えている。このトランジスタ７６は、エミッタが電流制限抵抗Ｒ２を介してスーパーキャパシタＣ０の正極側に接続され、コレクタがフォトカプラ７２内のフォトトランジスタ７４のエミッタに接続され、ベースがフォトトランジスタ７４のコレクタに接続されている。
【００８７】
リレー６４は、常閉形の接点６５とリレーコイル６６とを備えている。接点６５の一端は、トランジスタ７６のコレクタに接続されると共に、フォトカプラ７２内のフォトトランジスタ７４のエミッタに接続されている。接点６５の他端は、スーパーキャパシタＣ０の基準電位側に接続されている。リレーコイル６６は、一端がリレードライブ回路６３に接続され、他端が接地されている。
【００８８】
トランジスタ７６のオン・オフの状態は、フォトカプラ７２内のフォトトランジスタ７４のオン・オフに依存する。即ち、フォトトランジスタ７４がオフしているときは、フォトトランジスタ７４のベース−エミッタ間は同電位となるため、トランジスタ７４もオフする。一方、フォトトランジスタ７４がオンすると、トランジスタ７６のベースは接地電位に近い低電位になり、これによりトランジスタ７６もオンする。つまり、スーパーキャパシタＣ０の両端に、フォトトランジスタ７４を介した放電経路とトランジスタ７６を介した放電経路とが並列に接続された状態となる。そのため、スーパーキャパシタＣ０の充電電荷は、フォトトランジスタ７４及びトランジスタ７６の双方を介して放電される。
【００８９】
なお、トランジスタ７６を設けなくても、フォトカプラ７２を介してスーパーキャパシタＣ０を放電させることは可能である。しかし、フォトカプラ７２は、フォトリレーよりも電流ドライブ能力が低いため、フォトリレーに比べて放電時間が長くなる。そのため、フォトカプラ７２だけでは、回線イベント発生時にスーパーキャパシタＣ０の電圧を電圧閾値以下まで放電させることができないおそれがある。
【００９０】
そこで、本実施形態では、フォトカプラ７２とは別に、フォトカプラ７２と並列にトランジスタ７６を設けている。トランジスタ７６は、電流ドライブ能力が高いため、フォトカプラ７２よりも大きな電流を流すことができる。そのため、全体として（フォトカプラ７２及びトランジスタ７６を含め）、第１実施形態と同じようにスーパーキャパシタＣ０を短時間で放電させることが可能となっている。
【００９１】
リレードライブ回路６３は、ＣＰＵ６２からリセット指令（Ｈレベル信号）が入力されている間は、リレーコイル６６に電流を流して接点６５をオフ（開放）する。リレードライブ回路６３は、ＣＰＵ６２からセット指令（Ｌレベル信号）が入力されている間は、リレーコイル６６への通電を停止して接点６５をオンさせる。
【００９２】
ＣＰＵ６２は、起動すると、所定の初期処理等を行って、リレードライブ回路６３へリセット指令を出力する。そのため、スイッチング電源３１からメイン基板６１への電源供給が開始されてから、リレードライブ回路６３へＣＰＵ６２からリセット指令が入力されるまでの間には、時間差が生じる。よって、動作モードが通常モードに復帰してもリレー６４はすぐにはオフせず、電源供給開始から一定時間（上記時間差分）はオンのままである。そのため、通常モードに復帰した後、ＣＰＵ６２からリセット指令が出力されるまでの一定時間の間は、ごく僅かな時間ではあるが、回線イベントが発生する度にフォトカプラ７２及びトランジスタ７６を介した無駄な放電が発生してしまう。
【００９３】
そこで本実施形態では、ＣＰＵ６２からリレードライブ回路６３への指令出力ラインに、プルアップ抵抗Ｒ４を介して第２ＤＣ電源電圧Ｖ２が印加されるよう構成されている。このような構成により、ＯＦＦモードから通常モードへ復帰してスイッチング電源３１から第２ＤＣ電源電圧Ｖ２が出力されると、その第２ＤＣ電源電圧Ｖ２がプルアップ抵抗Ｒ４を介してリレードライブ回路６３に入力される。これは即ち、リレードライブ回路６３にＣＰＵ６２からリセット指令が入力された状態と等価となる。そのため、第２ＤＣ電源電圧Ｖ２の供給開始とほぼ同時に、リレー６４がオフする。つまり、ＣＰＵ６２からのリセット指令を待つことなく、通常モードへの復帰とほぼ同時にリレー６４をオフさせることができる。
【００９４】
以上説明した本実施形態の複合機６０によっても、第１実施形態と同様、ＯＦＦモードとして、スイッチング電源３１の動作を完全に停止させて消費電力をほぼゼロとする、省電力効果の非常に高いモードを実現しながらも、ＯＦＦモード中であっても回線イベントを検出できる状態を維持することができる。
【００９５】
また、本実施形態では、フォトカプラ７２を用いて、ＯＦＦモード中の回線イベント検出及び放電経路形成を行っている。フォトカプラ７２は、フォトリレーに比べて安価であるため、フォトリレーを用いる場合よりも複合機６０のコストを下げることができる。
【００９６】
フォトカプラ７２は、安価である反面、電流ドライブ能力はフォトリレーよりも相対的に低い。そこで、本実施形態では、フォトカプラ７２と並列にトランジスタ７６を設け、フォトカプラ７２及びトランジスタ７６の双方を介して放電できるようにしている。そのため、電流ドライブ能力の低いフォトカプラ７２を用いながらも、全体としてバックアップ電圧を迅速に低下させることが可能となる。
【００９７】
［第３実施形態］
第３実施形態の複合機８０について、図５を用いて説明する。図５に示す本実施形態の複合機８０は、図４に示した第２実施形態の複合機６０と比較して異なる構成は、主に次のａ〜ｃの３つである。
ａ．通信回路基板９１内においてダイオードブリッジ２４を省いていること。
ｂ．フォトカプラとして、入力側（一次側）に双方向通電可能な発光ダイオード部９３を備えたフォトカプラ９２を用いていること。
ｃ．メイン基板８１内においてリレー６４及びリレードライブ回路６３を省いていること。なお、これに伴い、ＣＰＵ８２は、リレーを制御する機能が省かれている。
【００９８】
フォトカプラ９２は、発光ダイオード部９３とフォトトランジスタ９４とを備えている。発光ダイオード部９３は、互いに極性が逆となるように並列接続された２つの発光ダイオードを有している。発光ダイオード部９３の一端は、コンデンサＣ１を介して一方の回線接続ラインＬ１１に接続され、発光ダイオード部９３の他端は、抵抗Ｒ１を介して他方の回線接続ラインＬ１２に接続されている。そのため、回線イベントが発生して電話回線に電気的変化が生じると、発光ダイオード部９３を構成する２つの発光ダイオードのうち何れか一方が発光し、その発光している間、フォトトランジスタ９４がオンする。
【００９９】
フォトトランジスタ９４は、エミッタがメイン基板８１内においてスーパーキャパシタＣ０の基準電位側に接続されている。フォトトランジスタ９４のコレクタからメイン基板８１内のスーパーキャパシタＣ０の正極側に至る回路構成は、第２実施形態の複合機６０と同じである。
【０１００】
このように、本実施形態の複合機８０は、第２実施形態に示した、ダイオードブリッジ２４及びフォトカプラ７２による回線イベント検知機能を、双方向の電流入力が可能なフォトカプラ９２によって実現している。そのため、回線イベント検知機能をより簡素且つ安価に実現することができる。また、メイン基板８１内において、放電用充電経路を導通・遮断するためのリレーを省いているため、その分の小型化、低コスト化も実現される。
【０１０１】
［他の実施形態］
（１）バックアップ電源４の具体的構成は種々考えられ、スーパーキャパシタＣ０以外の他のキャパシタ（コンデンサ）を用いてもよい。また、キャパシタ以外の他の蓄電手段（例えば低容量の二次電池）を用いてもよい。
【０１０２】
（２）上記実施形態では、バックアップ電圧に基づくＯＦＦモードからの復帰条件が、バックアップ電圧が電圧閾値以下になることであったが、これはあくまでも一例である。回線イベント発生時の強制放電によるバックアップ電圧の低下（電圧低下状態の発生）を検出できる限り、種々の復帰条件を設定できる。例えば、スーパーキャパシタＣ０の電圧の低下率が所定値以上の場合（即ち微分値の絶対値が所定値以上の場合）に、復帰条件が成立（回線イベントが発生）したものと判断するようにしてもよい。
【０１０３】
（３）第２実施形態及び第３実施形態において、フォトカプラと並列に放電経路形成用のトランジスタ７６を設けることは必須ではない。トランジスタ７６と同等の機能を有する回路素子等に代えてもよいし、電流ドライブ能力の高いフォトカプラ、或いはそれに準ずる半導体リレーがあればそれを用いることでトランジスタ７６を省いてもよい。
【０１０４】
（４）ＯＦＦモード中の回線イベントを検知する手段として、フォトリレーやフォトカプラを用いることも、あくまでも一例である。フォトリレーやフォトカプラ以外の他の手段によって、ＯＦＦモード中の回線イベント検知及びスーパーキャパシタＣ０の強制放電経路の形成を実現するようにしてもよい。
【０１０５】
（５）本発明の適用は複合機１に限定されるものではない。電話回線に接続して使用されるあらゆる種類の通信装置に対して本発明を適用可能である。
【符号の説明】
【０１０６】
１，６０，８０…複合機、２…ＣＰＵ、３…省電力チップ、４…バックアップ電源、５…ラッチングリレー、６，６３…リレードライブ回路、１０，６１，８１…メイン基板、１１…バックアップ電圧検知部、１２…ＲＴＣ、１３…電源制御部、１５…リレースイッチ、１６…Ｓ／Ｒコイル部、２０，７１，９１…通信回路基板、２１…ＤＡＡ、２２…モデム、２３…トランス、２４…ダイオードブリッジ、２６…フォトリレー、２７，７３…発光ダイオード、２８…受光部、３０…電源基板、３１…スイッチング電源、３２…発振制御部、４０…回線接続コネクタ、５０…ラインコード、６４…リレー、６５…接点、６６…リレーコイル、７２，９２…フォトカプラ、７４，９４…フォトトランジスタ、７６…トランジスタ、７７…バイポーラトランジスタ、９３…発光ダイオード部、Ｃ０…スーパーキャパシタ、Ｃ１…コンデンサ、Ｄ１…ダイオード、Ｌ１，Ｌ２…電話線、Ｌ１１，Ｌ１２…回線接続ライン、Ｒ１…抵抗、Ｒ２，Ｒ３…電流制限抵抗、Ｒ４…プルアップ抵抗。
【図１】
2015012466.tif 000003
【図２】
2015012466.tif 000004
【図３】
2015012466.tif 000005
【図４】
2015012466.tif 000006
【図５】
2015012466.tif 000007